(57)【要約】【課題】開封した後、蓋で頂部開口を閉じたときに蓋を係止することができ、蓋で頂部開口を閉じた状態を保持することができる物品収容箱を提供する【解決手段】物品収容箱１０Ａでは、蓋２１を第１切り離し線３８でそれらパネル１１，１３，１４から切り離し、折り曲げ線を中心に蓋２１を上下方向上方へ旋回させて頂部開口２０を開放した第１回目の開封状態において、係止プレート１９が第２切り離し線５３によって固着プレート１８から切り離されて係止プレート１９が上下方向上方へ延出しつつ、固着プレート１８が蓋２１を形成する前面パネル１１の内面に固着された状態で残存し、蓋２１を開封状態から上下方向下方へ旋回させて蓋２１で頂部開口２０を閉じると、係止プレート１９が蓋２１を形成する前面パネル１１の内面によって上下方向下方へ折り曲げられるとともに係止プレート１９の先端５５が固着プレート１８の上端縁５７に係止される。【選択図】図１
2019006453.tif 000002
【特許請求の範囲】
【請求項１】
前後方向へ互いに対向する所定面積の前面パネルおよび後面パネルと、横方向へ互いに対向する所定面積の第１および第２側面パネルと、上下方向へ互いに対向する所定面積の上面パネルおよび下面パネルと、頂部開口を開閉可能な蓋とを備え、それらパネルに囲繞された物品収容スペースを有する物品収容箱において、
前記蓋が、前記前後面パネルの上部と前記第１および第２側面パネルの上部と前記上面パネルとから形成され、前記物品収容箱が、前記前面パネルおよび前記第１および第２側面パネルの上部に作られて該前面パネルおよび該第１および第２側面パネルと前記蓋とを区画する第１切り離し線と、前記後面パネルの上部に作られて該後面パネルと前記蓋とを区画する折り曲げ線と、前記蓋を形成する前面パネルの内面に固着された所定面積の固着プレートと、前記蓋の未開封状態において前記固着プレートに第２切り離し線を介してつながる所定面積の係止プレートとを有し、
前記物品収容箱では、前記蓋を前記第１切り離し線でそれらパネルから切り離し、前記折り曲げ線を中心に前記蓋を上下方向上方へ旋回させて頂部開口を開放した第１回目の開封状態において、前記係止プレートが前記第２切り離し線によって前記固着プレートから切り離されて該係止プレートが上下方向上方へ延出しつつ、前記固着プレートが前記蓋を形成する前面パネルの内面に固着された状態で残存し、前記蓋を開封状態から上下方向下方へ旋回させて該蓋で頂部開口を閉じると、前記係止プレートが前記蓋を形成する前面パネルの内面によって上下方向下方へ折り曲げられるとともに該係止プレートの先端が前記固着プレートの上端縁に係止されることを特徴とする物品収容箱。
【請求項２】
前記物品収容箱が、前記後面パネルの側方に連接された連接パネルを含み、前記係止プレートが、前記連接パネルの上端縁に連接され、該連接パネルの上端縁で折り曲げられて上下方向下方へ延出し、前記固着プレートが、前記第２切り離し線を介して前記連接パネルの上端縁と前記係止プレートとにつながり、該連接パネルの上端縁で折り曲げられて上下方向下方へ延出し、前記蓋の未開封状態では、前記第２切り離し線を介してつながる前記固着プレートと前記係止プレートとが上下方向下方へ折り曲げられた状態で、前記固着プレートが前記蓋を形成する前面パネルの内面に固着されている請求項１に記載の物品収容箱。
【請求項３】
前記連結パネルが、前記後面パネルの側方に連接されて前記第１側面パネルに重なり、該第１側面パネルに固着された第１連接パネルと、前記第１連結パネルの側方に連接されて前記前面パネルに重なり、該前面パネルに非固着の第２連接パネルと、前記第２連接パネルの側方に連接されて前記第２側面パネルに重なり、該第２側面パネルに固着された第３連接パネルとから形成され、前記第２切り離し線が、前記第２連接パネルの両側から中央に向かうにつれて上下方向下方へ凸となるように延び、前記係止プレートが、前記第２連接パネルの上端縁の中央に連接され、前記固着プレートが、前記第２切り離し線を介して前記第２連接パネルの上端縁と前記係止プレートとにつながっている請求項２に記載の物品収容箱。
【請求項４】
前後方向へ互いに対向する所定面積の前面パネルおよび後面パネルと、横方向へ互いに対向する所定面積の第１および第２側面パネルと、上下方向へ互いに対向する所定面積の上面パネルおよび下面パネルと、頂部開口を開閉可能な蓋とを備え、それらパネルに囲繞された物品収容スペースを有する物品収容箱において、
前記蓋が、前記後面パネルの上部および前記上面パネルと、前記後面パネルの上部側方に連接されて前記上面パネルに固着された蓋パネルとから形成され、前記物品収容箱が、前記後面パネルの上部に作られて該後面パネルと前記蓋とを区画する折り曲げ線と、前記蓋パネルの内面に固着された所定面積の固着プレートと、前記蓋の未開封状態において前記固着プレートに切り離し線を介してつながる所定面積の係止プレートとを有し、
前記物品収容箱では、前記折り曲げ線を中心に前記蓋を上下方向上方へ旋回させて前記頂部開口を開放した第１回目の開封状態において、前記係止プレートが前記切り離し線によって前記固着プレートから切り離されて該係止プレートが前記前面パネルの上端から上下方向上方へ延出しつつ、前記固着プレートが前記蓋パネルの内面に固着された状態で残存し、前記蓋を開封状態から上下方向下方へ旋回させて該蓋で頂部開口を閉じると、前記係止プレートが前記蓋パネルの内面によって上下方向下方へ折り曲げられるとともに該係止プレートの先端が前記固着プレートの上端縁に係止されることを特徴とする物品収容箱。
【請求項５】
前記係止プレートが、前記前面パネルの上端縁に連接され、該前面パネルの上端縁で折り曲げられて上下方向下方へ延出し、前記固着プレートが、前記切り離し線を介して前記前面パネルの上端縁と前記係止プレートとにつながり、該前面パネルの上端縁で折り曲げられて上下方向下方へ延出し、前記蓋の未開封状態では、前記切り離し線を介してつながる前記固着プレートと前記係止プレートとが上下方向下方へ折り曲げられた状態で、前記固着プレートが前記蓋パネルの内面に固着されている請求項４に記載の物品収容箱。
【請求項６】
前記切り離し線が、前記前面パネルの両側から中央に向かうにつれて上下方向下方へ凸となるように延び、前記係止プレートが、前記前面パネルの中央に連接されている請求項５に記載の物品収容箱。
【請求項７】
前記蓋パネルが、前記後面パネルの側方に連接されて前記第１側面パネルの上部に重なり、該第１側面パネルの上部に非固着の第１蓋パネルと、前記第１連結パネルの側方に連接されて前記前面パネルの上部に重なり、該前面パネルの上部に非固着の第２蓋パネルと、前記第２連接パネルの側方に連接されて前記第２側面パネルの上部に重なり、該第２側面パネルの上部に固着された第３連接パネルとから形成され、前記第１回目の開封状態において、前記固着プレートが、前記第２蓋パネルの内面に固着された状態で残存する請求項４ないし請求項６いずれかに記載の物品収容箱。
【請求項８】
前記物品収容箱では、前記蓋を開封状態から上下方向下方へ旋回させて該蓋で頂部開口を閉じるときに、前記係止プレートの先端が前記固着プレートの下端縁に当接しつつ、前記固着プレートの下端縁が前記係止プレートを前面パネルの前後方向前方へ旋回させるように案内する請求項１ないし請求項７いずれかに記載の物品収容箱。
【発明の詳細な説明】
【技術分野】
【０００１】
本発明は、物品収容スペースに所定の物品を収納する物品収容箱に関する。
【背景技術】
【０００２】
天面パネルから前方に延設したフラップパネルが前面パネルに貼着され、連続する複数の切込みからなり開封領域を区画する左右一対のジッパーが天面パネルとフラップパネルとに形成され、２筋のジッパーに繋がる開封開始用の摘み部分が形成され、天面パネルにおける左右一対のジッパーラインが外側に膨らむ曲線状となるようにそれらの切込みが配置され、それぞれのジッパーを構成する各切込みが、ジッパーラインを規定する所定長さの主体部分と、主体部分における破断方向の後端から斜め外側に突き出る誘導部分と、主体部分における破断方向の前端から外側に直角に突き出るとともに隣接する切欠の誘導部分の延長線が突き当たる長さの受け部分とから形成されたトップオープン型の物品収容箱が開示されている（特許文献１参照）。
【先行技術文献】
【特許文献】
【０００３】
【特許文献１】特開２０１４−６９８１２号公報
【発明の概要】
【発明が解決しようとする課題】
【０００４】
前記特許文献１に開示の物品収容箱は、天面パネルおよびフラップパネルの開封領域をジッパーにおいてそれらパネルから切り離し、開封領域を上下方向上方へ旋回させることで、物品収容箱の頂部開口を開放する。この物品収容箱は、開封領域を開封状態から上下方向下方へ旋回させることで、開封領域で頂部開口を閉じることができるが、開封領域で頂部開口を閉じた状態で開封領域を係止する手段がなく、開封領域で頂部開口を閉じた状態から開封領域が上下方向上方へ不用意に旋回し、頂部開口が開放されてしまう場合がある。
【０００５】
本発明の目的は、開封した後、蓋で頂部開口を閉じたときに蓋を係止することができ、頂部開口を閉じた状態から蓋が上下方向上方へ不用意に旋回することはなく、蓋で頂部開口を閉じた状態を保持することができる物品収容箱を提供することにある。本発明の他の目的は、未開封の状態から１回目の開封において係止プレートと係止プレートの先端が係止される固着プレートとを形成することができ、蓋で頂部開口を繰り返し開閉したとしても、係止プレートの先端が固着プレートに繰り返し係止されることで、蓋で頂部開口を閉じた状態を再現することができる物品収容箱を提供することにある。
【課題を解決するための手段】
【０００６】
前記課題を解決するための本発明の前提は、前後方向へ互いに対向する所定面積の前面パネルおよび後面パネルと、横方向へ互いに対向する所定面積の第１および第２側面パネルと、上下方向へ互いに対向する所定面積の上面パネルおよび下面パネルと、頂部開口を開閉可能な蓋とを備え、それらパネルに囲繞された物品収容スペースを有する物品収容箱である。
【０００７】
前記前提における本発明の第１の特徴としては、蓋が、前後面パネルの上部と第１および第２側面パネルの上部と上面パネルとから形成され、物品収容箱が、前面パネルおよび第１および第２側面パネルの上部に作られて前面パネルおよび第１および第２側面パネルと蓋とを区画する第１切り離し線と、後面パネルの上部に作られて後面パネルと蓋とを区画する折り曲げ線と、蓋を形成する前面パネルの内面に固着された所定面積の固着プレートと、蓋の未開封状態において固着プレートに第２切り離し線を介してつながる所定面積の係止プレートとを有し、物品収容箱では、蓋を第１切り離し線でそれらパネルから切り離し、折り曲げ線を中心に蓋を上下方向上方へ旋回させて頂部開口を開放した第１回目の開封状態において、係止プレートが第２切り離し線によって固着プレートから切り離されて係止プレートが上下方向上方へ延出しつつ、固着プレートが蓋を形成する前面パネルの内面に固着された状態で残存し、蓋を開封状態から上下方向下方へ旋回させて蓋で頂部開口を閉じると、係止プレートが蓋を形成する前面パネルの内面によって上下方向下方へ折り曲げられるとともに係止プレートの先端が固着プレートの上端縁に係止されることにある。
【０００８】
前記第１の特徴を有する本発明の一例としては、物品収容箱が、後面パネルの側方に連接された連接パネルを含み、係止プレートが、連接パネルの上端縁に連接され、連接パネルの上端縁で折り曲げられて上下方向下方へ延出し、固着プレートが、第２切り離し線を介して連接パネルの上端縁と係止プレートとにつながり、連接パネルの上端縁で折り曲げられて上下方向下方へ延出し、蓋の未開封状態では、第２切り離し線を介してつながる固着プレートと係止プレートとが上下方向下方へ折り曲げられた状態で、固着プレートが蓋を形成する前面パネルの内面に固着されている。
【０００９】
前記第１の特徴を有する本発明の他の一例としては、連結パネルが、後面パネルの側方に連接されて第１側面パネルに重なり、第１側面パネルに固着された第１連接パネルと、第１連結パネルの側方に連接されて前面パネルに重なり、前面パネルに非固着の第２連接パネルと、第２連接パネルの側方に連接されて第２側面パネルに重なり、第２側面パネルに固着された第３連接パネルとから形成され、第２切り離し線が、第２連接パネルの両側から中央に向かうにつれて上下方向下方へ凸となるように延び、係止プレートが、第２連接パネルの上端縁の中央に連接され、固着プレートが、第２切り離し線を介して第２連接パネルの上端縁と係止プレートとにつながっている。
【００１０】
前記前提における本発明の第２の特徴としては、蓋が、後面パネルの上部および上面パネルと、後面パネルの上部側方に連接されて上面パネルに固着された蓋パネルとから形成され、物品収容箱が、後面パネルの上部に作られて後面パネルと蓋とを区画する折り曲げ線と、蓋パネルの内面に固着された所定面積の固着プレートと、蓋の未開封状態において固着プレートに切り離し線を介してつながる所定面積の係止プレートとを有し、物品収容箱では、折り曲げ線を中心に蓋を上下方向上方へ旋回させて頂部開口を開放した第１回目の開封状態において、係止プレートが切り離し線によって固着プレートから切り離されて係止プレートが前面パネルの上端から上下方向上方へ延出しつつ、固着プレートが蓋パネルの内面に固着された状態で残存し、蓋を開封状態から上下方向下方へ旋回させて蓋で頂部開口を閉じると、係止プレートが蓋パネルの内面によって上下方向下方へ折り曲げられるとともに係止プレートの先端が固着プレートの上端縁に係止されることにある。
【００１１】
前記第２の特徴を有する本発明の一例としては、係止プレートが、前面パネルの上端縁に連接され、前面パネルの上端縁で折り曲げられて上下方向下方へ延出し、固着プレートが、切り離し線を介して前面パネルの上端縁と係止プレートとにつながり、前面パネルの上端縁で折り曲げられて上下方向下方へ延出し、蓋の未開封状態では、切り離し線を介してつながる固着プレートと係止プレートとが上下方向下方へ折り曲げられた状態で、固着プレートが蓋パネルの内面に固着されている。
【００１２】
前記第２の特徴を有する本発明の他の一例としては、切り離し線が、前面パネルの両側から中央に向かうにつれて上下方向下方へ凸となるように延び、係止プレートが、前面パネルの中央に連接されている。
【００１３】
前記第２の特徴を有する本発明の他の一例としては、蓋パネルが、後面パネルの側方に連接されて第１側面パネルの上部に重なり、第１側面パネルの上部に非固着の第１蓋パネルと、第１連結パネルの側方に連接されて前面パネルの上部に重なり、前面パネルの上部に非固着の第２蓋パネルと、第２連接パネルの側方に連接されて第２側面パネルの上部に重なり、第２側面パネルの上部に固着された第３連接パネルとから形成され、第１回目の開封状態において、固着プレートが、第２蓋パネルの内面に固着された状態で残存する。
【００１４】
前記第１および第２の特徴を有する本発明の一例として、物品収容箱では、蓋を開封状態から上下方向下方へ旋回させて蓋で頂部開口を閉じるときに、係止プレートの先端が固着プレートの下端縁に当接しつつ、固着プレートの下端縁が係止プレートを前面パネルの前後方向前方へ旋回させるように案内する。
【発明の効果】
【００１５】
前記第１の特徴を有する物品収容箱によれば、蓋を開封状態から上下方向下方へ旋回させて蓋で頂部開口を閉じると、係止プレートが蓋を形成する前面パネルの内面によって上下方向下方へ折り曲げられるとともに係止プレートの先端が固着プレートの上端縁に係止されるから、蓋を開封した後、蓋で頂部開口を閉じたときに、蓋を形成する前面パネルの内面に残存する固着プレートに係止プレートの先端が係止されることで蓋を前面パネルに係止することができ、頂部開口を閉じた状態から蓋が上下方向上方へ不用意に旋回することはなく、蓋で頂部開口を閉じた状態を保持することができる。物品収容箱は、蓋を第１切り離し線でそれらパネルから切り離し、折り曲げ線を中心に蓋を上下方向上方へ旋回させて頂部開口を開放した第１回目の開封状態において、係止プレートが第２切り離し線によって固着プレートから切り離されて係止プレートが上下方向上方へ延出しつつ、固着プレートが蓋を形成する前面パネルの内面に固着された状態で残存するから、未開封の状態から１回目の開封において係止プレートおよび係止プレートの先端が係止される固着プレートを形成することができ、蓋で頂部開口を繰り返し開閉したとしても、係止プレートの先端が蓋を形成する前面パネルの内面に残存する固着プレートに繰り返し係止されることで、蓋で頂部開口を閉じた状態を再現することができる。
【００１６】
後面パネルの側方に連接された連接パネルを含み、係止プレートが連接パネルの上端縁に連接されて連接パネルの上端縁で折り曲げられて上下方向下方へ延出し、固着プレートが第２切り離し線を介して連接パネルの上端縁と係止プレートとにつながって連接パネルの上端縁で折り曲げられて上下方向下方へ延出し、蓋の未開封状態において、第２切り離し線を介してつながる固着プレートと係止プレートとが上下方向下方へ折り曲げられた状態で、固着プレートが蓋を形成する前面パネルの内面に固着されている物品収容箱は、折り曲げ線を中心に蓋を上下方向上方へ旋回させて頂部開口を開放した第１回目の開封状態において、連接パネルの上端縁に連接された係止プレートが第２切り離し線によって固着プレートから切り離されて係止プレートが上下方向上方へ延出し、第２切り離し線を介して連接パネルの上端縁と係止プレートとにつながる固着プレートが蓋を形成する前面パネルの内面に固着された状態で残存するから、未開封の状態から１回目の開封において係止プレートおよび係止プレートの先端が係止される固着プレートを形成することができ、蓋で頂部開口を繰り返し開閉したとしても、係止プレートの先端が蓋を形成する前面パネルの内面に残存する固着プレートに繰り返し係止されることで、蓋で頂部開口を閉じた状態を再現することができる。
【００１７】
連結パネルが、後面パネルの側方に連接されて第１側面パネルに固着された第１連接パネルと、第１連結パネルの側方に連接されて前面パネルに非固着の第２連接パネルと、第２連接パネルの側方に連接されて第２側面パネルに固着された第３連接パネルとから形成され、第２切り離し線が第２連接パネルの両側から中央に向かうにつれて上下方向下方へ凸となるように延び、係止プレートが第２連接パネルの上端縁の中央に連接され、固着プレートが第２切り離し線を介して第２連接パネルの上端縁と係止プレートとにつながっている物品収容箱は、蓋を開封状態から上下方向下方へ旋回させて蓋で頂部開口を閉じると、第２連接パネルの上端縁の中央に連接された係止プレートが蓋を形成する前面パネルの内面によって上下方向下方へ折り曲げられるとともに、蓋を形成する前面パネルの内面に残存する固着プレートの上端縁に係止プレートの先端が係止されるから、蓋を開封した後、蓋で頂部開口を閉じたときに、係止プレートの先端が固着プレートに係止されることで蓋を前面パネル（第２連接パネル）に係止することができ、頂部開口を閉じた状態から蓋が上下方向上方へ不用意に旋回することはなく、蓋で頂部開口を閉じた状態を保持することができる。物品収容箱は、蓋を第１切り離し線でそれらパネルから切り離し、折り曲げ線を中心に蓋を上下方向上方へ旋回させて頂部開口を開放した第１回目の開封状態において、第２連接パネルの上端縁の中央に連接された係止プレートが第２切り離し線によって固着プレートから切り離されて係止プレートが第２連接パネルの上端縁から上下方向上方へ延出しつつ、固着プレートが蓋を形成する前面パネルの内面に固着された状態で残存するから、未開封の状態から１回目の開封において係止プレートおよび係止プレートの先端が係止される固着プレートを形成することができ、蓋で頂部開口を繰り返し開閉したとしても、係止プレートの先端が蓋を形成する前面パネルの内面に残存する固着プレートに繰り返し係止されることで、蓋で頂部開口を閉じた状態を再現することができる。
【００１８】
前記第２の特徴を有する物品収容箱によれば、蓋を開封状態から上下方向下方へ旋回させて蓋で頂部開口を閉じると、係止プレートが蓋パネルの内面によって上下方向下方へ折り曲げられるとともに係止プレートの先端が固着プレートの上端縁に係止されるから、開封した後、蓋で頂部開口を閉じたときに、蓋パネルの内面に残存する固着プレートに係止プレートの先端が係止されることで蓋を前面パネルに係止することができ、頂部開口を閉じた状態から蓋が上下方向上方へ不用意に旋回することはなく、蓋で頂部開口を閉じた状態を保持することができる。物品収容箱は、蓋を第１切り離し線でそれらパネルから切り離し、折り曲げ線を中心に蓋を上下方向上方へ旋回させて頂部開口を開放した第１回目の開封状態において、係止プレートが第２切り離し線によって固着プレートから切り離されて係止プレートが前面パネルの上端から上下方向上方へ延出しつつ、固着プレートが蓋パネルの内面に固着された状態で残存するから、未開封の状態から１回目の開封において係止プレートおよび係止プレートの先端が係止される固着プレートを形成することができ、蓋で頂部開口を繰り返し開閉したとしても、係止プレートの先端が蓋パネルの内面に残存する固着プレートに繰り返し係止されることで、蓋で頂部開口を閉じた状態を再現することができる。
【００１９】
係止プレートが前面パネルの上端縁に連接されて前面パネルの上端縁で折り曲げられて上下方向下方へ延出し、固着プレートが切り離し線を介して前面パネルの上端縁と係止プレートとにつながって前面パネルの上端縁で折り曲げられて上下方向下方へ延出し、蓋の未開封状態において、切り離し線を介してつながる固着プレートと係止プレートとが上下方向下方へ折り曲げられた状態で、固着プレートが蓋パネルの内面に固着されている物品収容箱は、折り曲げ線を中心に蓋を上下方向上方へ旋回させて頂部開口を開放した第１回目の開封状態において、前面パネルの上端縁に連接された係止プレートが切り離し線によって固着プレートから切り離されて係止プレートが前面パネルの上端から上下方向上方へ延出し、切り離し線を介して前面パネルの上端縁と係止プレートとにつながる固着プレートが蓋を形成する蓋パネルの内面に固着された状態で残存するから、未開封の状態から１回目の開封において係止プレートおよび係止プレートの先端が係止される固着プレートを形成することができ、蓋で頂部開口を繰り返し開閉したとしても、係止プレートの先端が蓋パネルの内面に残存する固着プレートに繰り返し係止されることで、蓋で頂部開口を閉じた状態を再現することができる。
【００２０】
切り離し線が前面パネルの両側から中央に向かうにつれて上下方向下方へ凸となるように延び、係止プレートが前面パネルの中央に連接されている物品収容箱は、蓋を開封状態から上下方向下方へ旋回させて蓋で頂部開口を閉じると、前面パネルの中央に連接された係止プレートが蓋パネルの内面によって上下方向下方へ折り曲げられるとともに係止プレートの先端が固着プレートの上端縁に係止されるから、蓋を開封した後、蓋で頂部開口を閉じたときに、係止プレートの先端が固着プレートに係止されることで蓋を前面パネルに係止することができ、頂部開口を閉じた状態から蓋が上下方向上方へ不用意に旋回することはなく、蓋で頂部開口を閉じた状態を保持することができる。
【００２１】
蓋パネルが、後面パネルの側方に連接されて第１側面パネルの上部に非固着の第１蓋パネルと、第１連結パネルの側方に連接されて前面パネルの上部に非固着の第２蓋パネルと、第２連接パネルの側方に連接されて第２側面パネルの上部に固着された第３連接パネルとから形成され、第１回目の開封状態において、固着プレートが第２蓋パネルの内面に固着された状態で残存する物品収容箱は、蓋を開封した後、蓋で頂部開口を閉じたときに、第２蓋パネルの内面に固着された状態で残存する固着プレートに係止プレートの先端が係止されることで蓋を前面パネルに係止することができ、頂部開口を閉じた状態から蓋が上下方向上方へ不用意に旋回することはなく、蓋で頂部開口を閉じた状態を保持することができる。
【００２２】
蓋を開封状態から上下方向下方へ旋回させて蓋で頂部開口を閉じるときに、係止プレートの先端が固着プレートの下端縁に当接しつつ、固着プレートの下端縁が係止プレートを前面パネルの前後方向前方へ旋回させるように案内する物品収容箱は、蓋を開封状態から上下方向下方へ旋回させて蓋で頂部開口を閉じるときに、固着プレートの下端縁が係止プレートを前面パネルの前後方向前方へ旋回させるように案内するから、係止プレートの前面パネルの前後方向後方への旋回を防ぐことができ、蓋で頂部開口を繰り返し開閉したとしても、係止プレートの先端が固着プレートに確実に係止され、蓋で頂部開口を閉じた状態を繰り返し再現することができる。
【図面の簡単な説明】
【００２３】
【図１】一例として示す物品収容箱の斜視図。
【図２】図１の物品収容箱の展開平面図。
【図３】組立手順の一例を示す物品収容箱の斜視図。
【図４】図３から続く組立途中の物品収容箱の斜視図。
【図５】図４から続く組立途中の物品収容箱の斜視図。
【図６】頂部開口が開放された状態で示す物品収容箱の斜視図。
【図７】蓋で頂部開口が閉じられる途中の状態を示す物品収容箱の斜視図。
【図８】他の一例として示す物品収容箱の斜視図。
【図９】図８の物品収容箱の展開平面図。
【図１０】組立手順の一例を示す物品収容箱の斜視図。
【図１１】図１０から続く組立途中の物品収容箱の斜視図。
【図１２】図１１から続く組立途中の物品収容箱の斜視図。
【図１３】頂部開口が開放された状態で示す物品収容箱の斜視図。
【図１４】蓋で頂部開口が閉じられる途中の状態を示す物品収容箱の斜視図。
【発明を実施するための形態】
【００２４】
一例として示す物品収容箱１０Ａの斜視図である図１等の添付の図面を参照し、本発明にかかる物品収納箱の詳細を説明すると、以下のとおりである。なお、図２は、物品収容箱１０Ａの展開平面図であり、図３は、組立手順の一例を示す物品収容箱１０Ａの斜視図である。図４は、図３から続く組立途中の物品収容箱１０Ａの斜視図であり、図５は、図４から続く組立途中の物品収容箱１０Ａの斜視図である。図１は、ボックス状の蓋２０が未開封の状態（蓋２０が一度の開封されていない状態）にある。図１では、前後方向を矢印Ａ、横方向を矢印Ｂで示し、上下方向を矢印Ｃで示す。
【００２５】
物品収納箱１０Ａは、前後方向へ対向しつつ上下方向へ並行して延びる所定面積の前面パネル１１および後面パネル１２と、横方向へ対向しつつ上下方向へ並行して延びる所定面積の一対の第１側面パネル１３および第２側面パネル１４と、上下方向へ対向しつつ横方向へ並行して延びる所定面積の上面パネル１５および下面パネル１６と、連接パネル１７と、所定面積の固着プレート１８および所定面積の係止プレート１９とを有し、その頂部開口２０を開閉可能なボックス状の蓋２０を備えている。物品収納箱１０Ａでは、それらパネル１１〜１６に囲繞された所定容積の物品収容スペース２２が画成され、その物品収容スペース２２に所定の物品（商品）を収容する。物品収納箱１０Ａ（物品収納箱１０Ｂを含む）は、紙（板紙）や合成樹脂シート（プラスチックシート）から作られている。
【００２６】
前面パネル１１および後面パネル１２は、上下方向へ長い略矩形に成形（カット）され、上下方向へ延びている。第１および第２側面パネル１３，１４は、上下方向へ長い略矩形に成形（カット）され、上下方向へ延びている。上面パネル１５および下面パネル１６は、横方向へ長い略矩形に成形（カット）され、横方向へ延びている。第１側面パネル１３は、図２の展開平面図に示すように、前面パネル１１の一方の側縁２３に連接されている。第２側面パネル１４は、前面パネル１１の他方の側縁２４と後面パネル１２の一方の側縁２５とに連接されている。上面パネル１５は、前面パネル１１の上端縁２６に連接された第１上面パネル１５ａと、後面パネル１２の上端縁２７に連接された第２上面パネル１５ｂとから形成されている。下面パネル１６は、前面パネル１１の下端縁２８に連接された第１下面パネル１６ａと、後面パネル１２の下端縁２９に連接された第２下面パネル１６ｂとから形成されている。第１および第２下面パネル１６ａ，１６ｂは、物品収納箱１０Ａの底部開口を塞ぐ。
【００２７】
第１側面パネル１３の上端縁３０には、上下方向へ延びる第１フラップ３１が連接され、第１側面パネル１３の下端縁３２には、上下方向へ延びる第２フラップ３３が連接されている。第２側面パネル１４の上端縁３４には、上下方向へ延びる第３フラップ３５が連接され、第２側面パネル１４の下端縁３６には、上下方向へ延びる第４フラップ３７が連接されている。第１および第３フラップ３１，３５は、第２上面パネル１５ｂの内面に固着されている。第２上面パネル１５ｂは、第１上面パネル１５ａの内面に固着されている。第２および第４フラップ３３，３７は、第２下面パネル１６ｂの内面に固着されている。第２下面パネル１６ｂは、第１下面パネル１６ａの内面に固着されている。
【００２８】
前面パネル１１と第１および第２側面パネル１３，１４には、それらパネル１１，１３，１４の上方から下方へ向かって凸となるように円弧を画いて横方向へ延びる第１切り離し線３８が形成されている。第１切り離し線３８は、それらパネル１１，１３，１４に作られた断続的に延びる切り込み線である。前面パネル１１では、第１上面パネル１５ａを含むその上部３９が第１切り離し線３８によって前面パネル１１から切り離し可能である。第１および第２側面パネル１３，１４では、その上部４０，４１が第１切り離し線３８によってそれら側面パネル１３，１４から切り離し可能である。
【００２９】
前面パネル１１の略中央には、前面パネル１１を切り抜いた指掛け用の開口４２が作られている。後面パネル１２の上部４３には、横方向へ延びる折り曲げ線４４が作られている。折り曲げ線４４は、第２側面パネル１４に形成された第１切り離し線３８につながっている。後面パネル１２では、その上部４３を折り曲げ線４４を中心に上下方向へ旋回させることができる。ボックス状の蓋２１は、前後面パネル１１，１２の上部３９，４３と第１および第２側面パネル１３，１４の上部４０，４１（第１および第３フラップ３１，３５と後記する第１連接パネル４６の上部５１を含む）と第１および第２上面パネル１５ａ，１５ｂ（上面パネル１５）とから形成されている。第１切り離し線３８によって前面パネル１１と第１および第２側面パネル１３，１４（第１連接パネル４６の上部５１を含む）とから蓋２１が区画され、折り曲げ線４４によって後面パネル１２から蓋２１が区画される。
【００３０】
連接パネル１７は、後面パネル１２の他方の側縁４５（側方）に連接されている。図２の展開平面図では、連接パネル１７が後面パネル１２の他方の側縁４５から横方向へ延びている。連接パネル１７は、後面パネル１２の他方の側縁４５に連接されて上下方向へ延びる第１連接パネル４６と、第１連接パネル４６の側縁４７に連接されて上下方向へ延びる第２連接パネル４８と、第２連接パネル４８の側縁４９に連接されて上下方向へ延びる第３連接パネル５０とから形成されている。
【００３１】
第１連接パネル４６の上部５１には、横方向へ向かって弧を画く第１切り離し線３８が形成されている。第１切り離し線３８は、第１連接パネル４６に作られた断続的に延びる切り込み線であり、折り曲げ線４４につながっている。第１連接パネル４６では、その上部５１が第１切り離し線３８によって連接パネル４６から切り離し可能である。第１連接パネル４６は、第２側面パネル１４の内面に重なり、第２側面パネル１４の内面に固着されている。第３連接パネル５０は、第１側面パネル１３の内面に重なり、第１側面パネル１３の内面に固着されている。第２連接パネル４８は、前面パネル１１の内面に重なっているが、前面パネル１１に非固着である（固着されていない）。
【００３２】
係止プレート１９は、連接パネル１７の第２連接パネル４８の上端縁５２であって第２連接パネル４８の中央に連接され、第２連接パネル４８の上端縁５２で折り曲げられて上下方向下方へ延出している。係止プレート１９は、図１に点線で示すように、蓋２１を形成する前面パネル１１の内面に重なり、図１に示す蓋２１の未開封状態において固着プレート１８に第２切り離し線５３を介してつながっている。係止プレート１９は、蓋２１を形成する前面パネル１１の内面に非固着である（固着されていない）。
【００３３】
第２切り離し線５３は、図１に示すように、連接パネル１７の第２連接パネル４８の両側から中央に向かうにつれて上下方向下方（図２の展開平面図では上下方向上方）へ凸となるように横方向へ延びている。第２連接パネル４８と固着プレート１８とをつなぐ第２切り離し線５３は、第２連接パネル４８の上端縁５２に形成されている。第２切り離し線５３によって固着プレート１８と係止プレート１９とが区画されている。第２連接パネル４８の上端縁５２に形成された第２切り離し線５３の両側には、横方向へ延びる切り込み線５４が形成されている。固着プレート１８は、第２切り離し線５３を介して連接パネル１７の第２連接パネル４８の上端縁５２と係止プレート１９とにつながり、第２連接パネル４８の上端縁５２と第２切り離し線５３と切り込み線５４とで折り曲げられて上下方向下方へ延出している。固着プレート１９は、蓋２１を形成する前面パネル１１の内面に重なり、蓋２１を形成する前面パネル１１の内面に固着されている。
【００３４】
図２の展開平面図から図１の物品収納箱１０Ａを組み立てる手順の一例は、連接パネル１７の第２連接パネル４８に対して第３連接パネル５０が略直交するように、第３連接パネル５０を第２連接パネル４８の側縁４９において折曲し（折り曲げ）、連接パネル１７の第１連接パネル４６に対して第２連接パネル４８が略直交するように、第２連接パネル４８を第１連接パネル４６の側縁４７において折曲する（折り曲げる）。後面パネル１２に対して連接パネル１７の第１連接パネル４６が略直交するように、第１連接パネル４７を後面パネル１２の他方の側縁４５において折曲し（折り曲げ）、第２側面パネル１４に対して後面パネル１２が略直交するように、後面パネル１２をその一方の側縁２５において折曲する（折り曲げる）。
【００３５】
それらパネル１２，４６，４８，５０を折曲すると、図３に示すように、連接パネル１７の第３連接パネル５０が第２側面パネル１４の内面に位置する。接着剤（糊）を利用して第３連接パネル５０を第２側面パネル１４の内面に固着する。図３では、連接パネル１７の第２連接パネル４８に連接された係止プレート１９と第２切り離し線５３を介して第２連接パネル４８および係止プレート１９につながる固着プレート１８とが連接パネル１７から上下方向上方へ延出している。次に、固着プレート１８と係止プレート１９とを第２連接パネル４８の上端縁５２と第２切り離し線５３と切り込み線５４とにおいて折曲する（折り曲げる）。折曲された固着プレート１８と係止プレート１９とは、図４に示すように、図３の状態から略１８０度折り曲げられ、連接パネル１７の第２連接パネル４８の上端縁５２から上下方向下方へ延びている。
【００３６】
図４の状態から、第２側面パネル１４に対して前面パネル１１が略直交するように、前面パネル１１をその他方の側縁２４において折曲し（折り曲げ）、前面パネル１１に対して第１側面パネル１３が略直交するように、第１側面パネル１３を前面パネル１１の一方の側縁２３において折曲する（折り曲げる）。それらパネル１１，１３，１４を折曲すると、図５に示すように、固着プレート１８と係止プレート１９とが蓋２１を形成する前面パネル１１の内面に位置し、固着プレート１８および係止プレート１９と蓋２１を形成する前面パネル１１とが重なり合い、連接パネル１７の第１連接パネル４６が第１側面パネル１３の内面に位置し、第１連接パネル４６と第１側面パネル１３とが重なり合うとともに、連接パネル１７の第３連接パネル５０が第２側面パネル１４の内面に位置し、第３連接パネル５０と第２側面パネル１４とが重なり合う。接着剤（糊）を利用して第３連接パネル５０を第２側面パネル１４の内面に固着し、接着剤（糊）を利用して固着プレート１８を蓋２１を形成する前面パネル１１の内面に固着するとともに、接着剤（糊）を利用して第１連結パネル４６を第１側面パネル１３の内面に固着する。
【００３７】
図５の状態から、第１側面パネル１３に対して第１フラップ３１が略直交するように、第１フラップ３１を第１側面パネル１３の上端縁３０において折曲し（折り曲げ）、第２側面パネル１４に対して第３フラップ３５が略直交するように、第３フラップ３５を第２側面パネル１４の上端縁３４において折曲する（折り曲げる）。後面パネル１２に対して第２上面パネル１５ｂが略直交するように、第２上面パネル１５ｂを後面パネル１２の上端縁２７において折曲する（折り曲げる）。第２上面パネル１５ｂを折曲すると、第１および第３フラップ３１，３５が第２上面パネル１５ｂの内面に位置し、第１および第３フラップ３１，３５と第２上面パネル１５ｂとが重なり合う。接着剤（糊）を利用して第１および第３フラップ３１，３５を第２上面パネル１５ｂの内面に固着する。
【００３８】
前面パネル１１に対して第１上面パネル１５ａが略直交するように、第１上面パネル１５ａを前面パネル１１の上端縁２６において折曲する（折り曲げる）。第１上面パネル１５ａを折曲すると、第２上面パネル１５ｂが第１上面パネル１５ｂの内面に位置し、第２上面パネル１５ｂと第１上面パネル１５ａとが重なり合う。接着剤（糊）を利用して第２上面パネル１５ｂを第１上面パネル１５ａの内面に固着する。
【００３９】
次に、第１側面パネル１３に対して第２フラップ３３が略直交するように、第２フラップ３３を第１側面パネル１３の下端縁３２において折曲し（折り曲げ）、第２側面パネル１４に対して第４フラップ３７が略直交するように、第４フラップ３７を第２側面パネル１４の下端縁３６において折曲する（折り曲げる）。後面パネル１２に対して第２下面パネル１６ｂが略直交するように、第２下面パネル１６ｂを後面パネル１２の下端縁２９において折曲する（折り曲げる）。第２下面パネル１６ｂを折曲すると、第２および第４フラップ３３，３７が第２下面パネル１６ｂの内面に位置し、第２および第４フラップ３３，３７と第２下面パネル１６ｂとが重なり合う。接着剤（糊）を利用して第２および第４フラップ３３，３７を第２下面パネル１６ｂの内面に固着する。
【００４０】
前面パネル１１に対して第１下面パネル１６ａが略直交するように、第１下面パネル１６ａを前面パネル１１の下端縁２８において折曲する（折り曲げる）。第１下面パネル１６ａを折曲すると、第２下面パネル１６ｂが第１下面パネル１６ａの内面に位置し、第２下面パネル１６ｂと第１下面パネル１６ａとが重なり合う。接着剤（糊）を利用して第２下面パネル１６ｂを第１下面パネル１６ａの内面に固着する。第２および第４フラップ３３，３７を第２下面パネル１６ｂの内面に固着し、第２下面パネル１６ｂを第１下面パネル１６ａの内面に固着することで、物品収容箱１０Ａの底部開口が塞がれる。それらパネル１１〜１７の折曲と固着とが終了すると、図１の物品収容箱１０Ａが完成する。なお、物品収容箱１０Ａの物品収容スペース２２には、所定の物品（商品）（図示せず）が収容されている。ボックス状の蓋２１が未開封の状態（一度も開封されていない状態）では、係止プレート１９と固着プレート１８とが第２切り離し線５３を介してつながっている。
【００４１】
図６は、頂部開口２０が開放された状態で示す物品収容箱１０Ａの斜視図であり、図７は、蓋２１で頂部開口２０が閉じられる途中の状態を示す物品収容箱１０Ａの斜視図である。物品収容箱１０Ａから物品（商品）を取り出すには、前面パネル１１に作られた指掛け用の開口４２に指先を入れ、蓋２１が上下方向上方へ旋回するように、蓋２１（前面パネル１１の上部３９）を上方へ引き上げる。
【００４２】
ボックス状の蓋２１を上方へ引き上げると、蓋２１（前後面パネル１１，１２の上部３９，４３、第１および第２側面パネル１３，１４の上部４０，４１、第１連接パネル４６の上部５１）が第１切り離し線３８で前後面パネル１１，１２や第１および第２側面パネル１３，１４、第１連接パネル４６から切り離され、後面パネル１２の上部４３に作られた折り曲げ線４４を中心に蓋２１が上下方向上方へ旋回し、図６に示すように、物品収容箱１０Ａの頂部開口２０が開放される。図６の状態で、物品収容箱１０Ａの物品収容スペース２２から物品（商品）を取り出す。
【００４３】
物品収容箱１０Ａでは、蓋２１を第１切り離し線３８でそれらパネルから切り離し、折り曲げ線４４を中心に蓋２１を上下方向上方へ旋回させて頂部開口２０を開放した第１回目の開封状態において、係止プレート１９が第２切り離し線５３によって固着プレート１８から切り離されて係止プレート１９が前面パネル１１（第２連接パネル４８の上端縁５２）から上下方向上方へ延出するとともに、固着プレート１８が蓋２１を形成する前面パネル１１の内面に固着された状態で残存する。
【００４４】
物品収容箱１０Ａでは、蓋２１を上下方向上方へ旋回させて頂部開口２０を開放した後、蓋２１で頂部開口２０を閉じることができる。蓋２１で頂部開口２０を閉じるには、頂部開口２０が開放された図６の状態から、蓋２１を上下方向下方へ旋回させる。物品収容箱１０Ａでは、蓋２１を上下方向下方へ旋回させて蓋２１で頂部開口２０を閉じるときに、係止プレート１９の先端５５が固着プレート１８の下端縁５６に当接しつつ、固着プレート１８の下端縁５６が係止プレート１９を第２連結プレート４８（前面パネル１１）の前後方向前方へ旋回させるように案内する。蓋２１を上下方向下方へ旋回させて蓋２１で頂部開口２０を閉じると、係止プレート１９が蓋２１を形成する前面パネル１１の内面によって第２連結パネル４８の上端縁５２を中心に上下方向下方へ折り曲げられるとともに、係止プレート１９の先端５５と固着プレート１８の上端縁５７とが当接し、係止プレート１９の先端５５が固着プレート１８の上端縁５７に係止され、蓋２１で頂部開口２０が閉じられた状態が保持される。
【００４５】
蓋２１で頂部開口２０を閉じた後、再び頂部開口２０を開放するには、指掛け用の開口４２に指先を入れ、蓋２１が上下方向上方へ旋回するように、蓋２１（前面パネル１１の上部３９）を上方へ引き上げる。蓋２１を上方へ引き上げると、図７に示すように、係止プレート１９の先端５５が固着プレート１８の上端縁５７に係止された状態で、係止プレート１９が上下方向上方へ旋回しつつ、連接パネル１７の第２連接パネル４８が前後方向後方へ凹む。さらに蓋２１を上方へ引き上げ、固着プレート１８の上端縁５７に対する係止プレート１９の先端５５の係止が解除されると、前後方向後方へ凹んだ第２連接パネル４８が前後方向前方へ弾性変形し、第２連接パネル４８の弾性力によって蓋２１が上下方向上方へ自動的に旋回し、頂部開口２０が開放される。
【００４６】
蓋２１で頂部開口２０を再び閉じるには、蓋２１を上下方向下方へ旋回させる。蓋２１を上下方向下方へ旋回させて蓋２１で頂部開口２０を閉じるときに、係止プレート１９の先端５５が固着プレート１８の下端縁５６に当接しつつ、固着プレート１８の下端縁５６が係止プレート１９を前面パネル１１（第２連結パネル４８）の前後方向前方へ旋回させるように案内する。蓋２１を上下方向下方へ旋回させて蓋２１で頂部開口２０を再び閉じると、係止プレート１９が蓋２１を形成する前面パネル１１の内面によって上下方向下方へ折り曲げられるとともに、係止プレート１９の先端５５と固着プレート１８の上端縁５７とが当接し、係止プレート１９の先端５５が固着プレート１８の上端縁５７に係止され、蓋２１で頂部開口２０が閉じられた状態が保持される。
【００４７】
物品収容箱１０Ａは、蓋２１を開封状態から上下方向下方へ旋回させて蓋２１で頂部開口２０を閉じると、第２連接パネル４８の上端縁５２の中央に連接された係止プレート１９が蓋２１を形成する前面パネル１１の内面によって上下方向下方へ折り曲げられるとともに、蓋２１を形成する前面パネル１１の内面に残存する固着プレート１８の上端縁５７と係止プレート１９の先端５５とが当接し、固着プレート１８の上端縁５７に係止プレート１９の先端５５が係止されるから、蓋２１を開封した後、蓋２１で頂部開口２０を閉じたときに、係止プレート１９の先端５５が固着プレート１８に係止されることで蓋２１を前面パネル１１（第２連接パネル４８）に係止することができ、頂部開口２０を閉じた状態から蓋２１が上下方向上方へ不用意に旋回することはなく、蓋２１で頂部開口２０を閉じた状態を保持することができる。
【００４８】
物品収容箱１０Ａは、ボックス状の蓋２１を第１切り離し線３８でそれらパネル１１〜１７から切り離し、折り曲げ線４４を中心に蓋２１を上下方向上方へ旋回させて頂部開口２０を開放した第１回目の開封状態において、第２連接パネル４８の上端縁５２の中央に連接された係止プレート１９が第２切り離し線５３によって固着プレート１８から切り離されて係止プレート１９が第２連接パネル４８の上端縁５２から上下方向上方へ延出しつつ、固着プレート１８が蓋２１を形成する前面パネル１１の内面に固着された状態で残存するから、未開封の状態から１回目の開封において係止プレート１９および係止プレート１９の先端５５が係止される固着プレート１６を形成することができ、蓋２１で頂部開口２０を繰り返し開閉したとしても、係止プレート１９の先端５５が蓋２１を形成する前面パネル１１の内面に残存する固着プレート１８の上端縁５７に繰り返し係止されることで、蓋２１で頂部開口２０を閉じた状態を再現することができる。
【００４９】
物品収容箱１０Ａは、蓋２１を開封状態から上下方向下方へ旋回させて蓋２１で頂部開口２０を閉じるときに、固着プレート１８の下端縁５６が係止プレート１９を第２連接パネル４８（前面パネル１１）の前後方向前方へ旋回させるように案内するから、係止プレート１９の第２連接パネル４８（前面パネル１１）の前後方向後方への旋回を防ぐことができ、蓋２１で頂部開口２０を繰り返し開閉したとしても、係止プレート１９の先端５５が固着プレート１８の上端縁５７に確実に係止され、蓋２１で頂部開口２０を閉じた状態を切り返し再現することができる。
【００５０】
図８は、他の一例として示す物品収容箱１０Ｂの斜視図であり、図９は、図８の物品収容箱１０Ｂの展開平面図である。図１０は、組立手順の一例を示す物品収容箱１０Ｂの斜視図であり、図１１は、図１０から続く組立途中の物品収容箱１０Ｂの斜視図である。図１２は、図１１から続く組立途中の物品収容箱１０Ｂの斜視図である。図８は、ボックス状の蓋２０が未開封の状態（蓋２０が一度の開封されていない状態）にある。図８では、前後方向を矢印Ａ、横方向を矢印Ｂで示し、上下方向を矢印Ｃで示す。
【００５１】
物品収納箱１０Ｂは、前後方向へ対向しつつ上下方向へ並行して延びる所定面積の前面パネル１１および後面パネル１２と、横方向へ対向しつつ上下方向へ並行して延びる所定面積の一対の第１側面パネル１３および第２側面パネル１４と、上下方向へ対向しつつ横方向へ並行して延びる所定面積の上面パネル１５および下面パネル１６と、蓋パネル５８と、所定面積の固着プレート１８および所定面積の係止プレート１９とを有し、その頂部開口２０を開閉可能なボックス状の蓋２０を備えている。物品収納箱１０Ｂでは、それらパネル１１〜１６に囲繞された所定容積の物品収容スペース２２が画成され、その物品収容スペース２２に所定の物品（商品）を収容する。
【００５２】
前面パネル１１および後面パネル１２は、上下方向へ長い略矩形に成形（カット）され、上下方向へ延びている。第１および第２側面パネル１３，１４は、上下方向へ長い略矩形に成形（カット）され、上下方向へ延びている。上面パネル１５および下面パネル１６は、横方向へ長い略矩形に成形（カット）され、横方向へ延びている。第１側面パネル１３は、図９の展開平面図に示すように、前面パネル１１の一方の側縁２３に連接されている。第２側面パネル１４は、前面パネル１１の他方の側縁２４と後面パネル１２の一方の側縁２５とに連接されている。第１側面パネル１３の一方の側縁５９には、上下方向へ延びる固着パネル６０が連接されている。
【００５３】
蓋パネル５８は、後面パネル１２の他方の側縁４５（側方）に連接されている。図９の展開平面図では、蓋パネル５８が後面パネル１２の他方の側縁４５から横方向へ延びている。蓋パネル５８は、後面パネル１２の他方の側縁４５に連接されて上下方向へ延びる第１蓋パネル６１と、第１蓋パネル６１の側縁６２に連接されて上下方向へ延びる第２蓋パネル６３と、第２蓋パネル６３の側縁６４に連接されて上下方向へ延びる第３蓋パネル６５とから形成されている。第１蓋パネル５９は、第１側面パネル１３の上部４０の外面に重なり、第１側面パネル１３の上部４０に非固着である（固着されていない）。第２蓋パネル６３は、前面パネル１１の外面に重なり、前面パネル１１に非固着である（固着されていない）。第３蓋パネル６５は、第２側面パネル１４の上部４１の外面に重なり、第２側面パネル１４の上部４１の外面に固着されている。
【００５４】
上面パネル１５は、第２蓋パネル６３の上端縁６６に連接された第１上面パネル１５ａと、後面パネル１２の上端縁２７に連接された第２上面パネル１５ｂとから形成されている。下面パネル１６は、前面パネル１１の下端縁２８に連接された第１下面パネル１６ａと、後面パネル１２の下端縁２９に連接された第２下面パネル１６ｂとから形成されている。第１および第２下面パネル１６ａ，１６ｂは、物品収納箱１０Ａの底部開口を塞ぐ。
【００５５】
第１蓋パネル６１の上端縁６７には、上下方向へ延びる第１フラップ３１が連接され、第１側面パネル１３の下端縁３２には、上下方向へ延びる第２フラップ３３が連接されている。第３蓋パネル６５の上端縁６８には、上下方向へ延びる第３フラップ３５が連接され、第２側面パネル１４の下端縁３６には、上下方向へ延びる第４フラップ３７が連接されている。第１および第３フラップ３１，３５は、第２上面パネル１５ｂの内面に固着されている。第２上面パネル１５ｂは、第１上面パネル１５ａの内面に固着されている。第２および第４フラップ３３，３７は、第２下面パネル１６ｂの内面に固着されている。第２下面パネル１６ｂは、第１下面パネル１６ａの内面に固着されている。
【００５６】
後面パネル１２の上部４３には、横方向へ延びる折り曲げ線４４が作られている。折り曲げ線４４によって後面パネル１２から蓋２１が区画される。後面パネル１２では、その上部４３（蓋２１）を折り曲げ線４４を中心に上下方向へ旋回させることができる。第２側面パネル１４の上部４１には、横方向へ向かって弧を画く第１切り離し線３８が形成されている。第１切り離し線３８は、第２側面パネル１４に作られた断続的に延びる切り込み線であり、折り曲げ線４４につながっている。
【００５７】
第２側面パネル１４では、その上部４１が第１切り離し線３８によって側面パネル１４から切り離し可能である。ボックス状の蓋２１は、第１〜第３蓋パネル６１，６３，６５と第２側面パネル１４の上部４１（後記する第１切り離し線３８によって切り離される上部４１）と第１および第２上面パネル１５ａ，１５ｂ（第１および第３フラップ３１，３５を含む）とから形成されている。
【００５８】
係止プレート１９は、前面パネル１１の上端縁２６であって前面パネル１１の中央に連接され、前面パネル１１の上端縁２６で折り曲げられて上下方向下方へ延出している。係止プレート１９は、図１に点線で示すように、第２蓋パネル６３の内面に重なり、図１に示す蓋２１の未開封状態において固着プレート１８に第２切り離し線５３を介してつながっている。係止プレート１９は、第２蓋パネル６３の内面に非固着である（固着されていない）。
【００５９】
第２切り離し線５３は、図１に示すように、前面パネル１１の両側から中央に向かうにつれて上下方向下方（図２の展開平面図では上下方向上方）へ凸となるように横方向へ延びている。前面パネル１１と固着プレート１８とをつなぐ第２切り離し線５３は、前面パネル１１の上端縁２６に形成されている。第２切り離し線５３によって固着プレート１８と係止プレート１９とが区画されている。前面パネル１１の上端縁２６に形成された第２切り離し線５３の両側には、横方向へ延びる切り込み線５４が形成されている。固着プレート１８は、第２切り離し線５３を介して前面パネル１１の上端縁２６と係止プレート１９とにつながり、前面パネル１１の上端縁２６と第２切り離し線５３と切り込み線５４とで折り曲げられて上下方向下方へ延出している。固着プレート１９は、蓋２１を形成する蓋パネル５８の第２蓋パネル６３の内面に重なり、第２蓋パネル６３の内面に固着されている。
【００６０】
図９の展開平面図から図８の物品収納箱１０Ｂを組み立てる手順の一例は、第１側面パネル１３に対して固着パネル６０が略直交するように、固着パネル６０を第１側面パネル１３の一方の側縁５９において折曲し（折り曲げ）、前面パネル１１に対して第１側面パネル１３が略直交するように、第１側面パネル１３を前面パネル１１の一方の側縁２３において折曲する（折り曲げる）。第２側面パネル１４に対して前面パネル１１が略直交するように、前面パネル１１をその他方の側縁２４において折曲し（折り曲げ）、後面パネル１２に対して第２側面パネル１４が略直交するように、第２側面パネル１４を後面パネル１２の一方の側縁２５において折曲する（折り曲げる）。
【００６１】
それらパネル１１，１３，１４，６０を折曲すると、図１０に示すように、固着パネル６０が後面パネル１２の内面に位置する。接着剤（糊）を利用して固着パネル６０を後面パネル１２の内面に固着する。図１０では、前面パネル１１の上端縁２６に連接された係止プレート１９と第２切り離し線５３を介して前面パネル１１および係止プレート１９につながる固着プレート１８とが前面パネル１１の上端縁２６から上下方向上方へ延出している。次に、固着プレート１８と係止プレート１９とを前面パネル１１の上端縁２６と第２切り離し線５３と切り込み線５４とにおいて折曲する（折り曲げる）。折曲された固着プレート１８と係止プレート１９とは、図１１に示すように、図１０の状態から略１８０度折り曲げられ、前面パネル１１の上端縁２６から上下方向下方へ延びている。
【００６２】
後面パネル１２に対して第１蓋パネル６１が略直交するように、第１蓋パネル６１を後面パネル１２の他方の側縁４５において折曲し（折り曲げ）、第１蓋パネル６１に対して第２蓋パネル６３が略直交するように、第２蓋パネル６３を第１蓋パネル６１の側縁６２において折曲する（折り曲げる）。第２蓋パネル６３に対して第３蓋パネル６５が略直交するように、第３蓋パネル６５を第２蓋パネル６３の側縁６４において折曲する（折り曲げる）。第３蓋パネル６５を折曲すると、第３蓋パネル６５が第２側面パネル１４の上部４１の外面に位置する。接着剤（糊）を利用して第３蓋パネル６５を第２側面パネル１４の上部４１の外面に固着する。
【００６３】
図１２の状態から、第１蓋パネル６１に対して第１フラップ３１が略直交するように、第１フラップ３１を第１蓋パネル６１の上端縁６７において折曲し（折り曲げ）、第３蓋パネル６５に対して第３フラップ３５が略直交するように、第３フラップ３５を第３蓋パネル６５の上端縁６８において折曲する（折り曲げる）。後面パネル１２に対して第２上面パネル１５ｂが略直交するように、第２上面パネル１５ｂを後面パネル１２の上端縁２７において折曲する（折り曲げる）。第２上面パネル１５ｂを折曲すると、第１および第３フラップ３１，３５が第２上面パネル１５ｂの内面に位置し、第１および第３フラップ３１，３５と第２上面パネル１５ｂとが重なり合う。接着剤（糊）を利用して第１および第３フラップ３１，３５を第２上面パネル１５ｂの内面に固着する。
【００６４】
第２蓋パネル６３に対して第１上面パネル１５ａが略直交するように、第１上面パネル１５ａを第２蓋パネル６３の上端縁６６において折曲する（折り曲げる）。第１上面パネル１５ａを折曲すると、第２上面パネル１５ｂが第１上面パネル１５ｂの内面に位置し、第２上面パネル１５ｂと第１上面パネル１５ａとが重なり合う。接着剤（糊）を利用して第２上面パネル１５ｂを第１上面パネル１５ａの内面に固着する。
【００６５】
次に、第１側面パネル１３に対して第２フラップ３３が略直交するように、第２フラップ３３を第１側面パネル１３の下端縁３２において折曲し（折り曲げ）、第２側面パネル１４に対して第４フラップ３７が略直交するように、第４フラップ３７を第２側面パネル１４の下端縁３６において折曲する（折り曲げる）。後面パネル１２に対して第２下面パネル１６ｂが略直交するように、第２下面パネル１６ｂを後面パネル１２の下端縁２９において折曲する（折り曲げる）。第２下面パネル１６ｂを折曲すると、第２および第４フラップ３３，３７が第２下面パネル１６ｂの内面に位置し、第２および第４フラップ３３，３７と第２下面パネル１６ｂとが重なり合う。接着剤（糊）を利用して第２および第４フラップ３３，３７を第２下面パネル１６ｂの内面に固着する。
【００６６】
前面パネル１１に対して第１下面パネル１６ａが略直交するように、第１下面パネル１６ａを前面パネル１１の下端縁２８において折曲する（折り曲げる）。第１下面パネル１６ａを折曲すると、第２下面パネル１６ｂが第１下面パネル１６ａの内面に位置し、第２下面パネル１６ｂと第１下面パネル１６ａとが重なり合う。接着剤（糊）を利用して第２下面パネル１６ｂを第１下面パネル１６ａの内面に固着する。第２および第４フラップ３３，３７を第２下面パネル１６ｂの内面に固着し、第２下面パネル１６ｂを第１下面パネル１６ａの内面に固着することで、物品収容箱１０Ｂの底部開口が塞がれる。それらパネル１１〜１７の折曲と固着とが終了すると、図８の物品収容箱１０Ｂが完成する。なお、物品収容箱１０Ｂの物品収容スペース２２には、所定の物品（商品）（図示せず）が収容されている。ボックス状の蓋２１が未開封の状態（一度も開封されていない状態）では、係止プレート１９と固着プレート１８とが第２切り離し線５３を介してつながっている。
【００６７】
図１３は、頂部開口２０が開放された状態で示す物品収容箱１０Ｂの斜視図であり、図１４は、蓋２１で頂部開口２０が閉じられる途中の状態を示す物品収容箱１０Ｂの斜視図である。物品収容箱１０Ｂから物品（商品）を取り出すには、蓋パネル５８の第２蓋パネル６３の下端に指先を掛け、蓋２１が上下方向上方へ旋回するように、蓋２１（第２蓋パネル６３）を上方へ引き上げる。ボックス状の蓋２１を上方へ引き上げると、第２側面パネル１４の上部４１が第１切り離し線３８で第２側面パネル１４から切り離され、後面パネル１２の上部４３に作られた折り曲げ線４４を中心に蓋２１が上下方向上方へ旋回し、図１３に示すように、物品収容箱１０Ｂの頂部開口２０が開放される。図１３の状態で、物品収容箱１０Ｂの物品収容スペース２２から物品（商品）を取り出す。
【００６８】
物品収容箱１０Ｂでは、第２側面パネル１４の上部４１を第１切り離し線３８で第２側面パネル１４から切り離し、折り曲げ線４４を中心に蓋２１を上下方向上方へ旋回させて頂部開口２０を開放した第１回目の開封状態において、係止プレート１９が第２切り離し線５３によって固着プレート１８から切り離されて係止プレート１９が前面パネル１１の上端縁２６から上下方向上方へ延出するとともに、固着プレート１８が蓋２１を形成する第２蓋パネル６３の内面に固着された状態で残存する。
【００６９】
物品収容箱１０Ｂでは、蓋２１を上下方向上方へ旋回させて頂部開口２０を開放した後、蓋２１で頂部開口２０を閉じることができる。蓋２１で頂部開口２０を閉じるには、頂部開口２０が開放された図１３の状態から、蓋２１を上下方向下方へ旋回させる。物品収容箱１０Ｂでは、蓋２１を上下方向下方へ旋回させて蓋２１で頂部開口２０を閉じるときに、係止プレート１９の先端５５が固着プレート１８の下端縁５６に当接しつつ、固着プレート１８の下端縁５６が係止プレート１９を前面パネル１１の前後方向前方へ旋回させるように案内する。蓋２１を上下方向下方へ旋回させて蓋２１で頂部開口２０を閉じると、係止プレート１９が蓋パネル５８の第２蓋パネル６３の内面によって前面パネル１１の上端縁２６を中心に上下方向下方へ折り曲げられるとともに、係止プレート１９の先端５５と固着プレート１８の上端縁５７とが当接し、係止プレート１９の先端５５が固着プレート１８の上端縁５７に係止され、蓋２１で頂部開口２０が閉じられた状態が保持される。
【００７０】
蓋２１で頂部開口２０を閉じた後、再び頂部開口２０を開放するには、第２蓋パネル６３の下端に指先を掛け、蓋２１が上下方向上方へ旋回するように、蓋２１（第２蓋パネル６３）を上方へ引き上げる。蓋２１を上方へ引き上げると、図１４に示すように、係止プレート１９の先端５５が固着プレート１８の上端縁５７に係止された状態で、係止プレート１９が上下方向上方へ旋回しつつ、前面パネル１１が前後方向後方へ凹む。さらに蓋２１を上方へ引き上げ、固着プレート１８の上端縁５７に対する係止プレート１９の先端５５の係止が解除されると、前後方向後方へ凹んだ前面パネル１１が前後方向前方へ弾性変形し、前面パネル１１の弾性力によって蓋２１が上下方向上方へ自動的に旋回し、頂部開口２０が開放される。
【００７１】
蓋２１で頂部開口２０を再び閉じるには、蓋２１を上下方向下方へ旋回させる。蓋２１を上下方向下方へ旋回させて蓋２１で頂部開口２０を閉じるときに、係止プレート１９の先端５５が固着プレート１８の下端縁５６に当接しつつ、固着プレート１８の下端縁５６が係止プレート１９を前面パネル１１の前後方向前方へ旋回させるように案内する。蓋２１を上下方向下方へ旋回させて蓋２１で頂部開口２０を再び閉じると、係止プレート１９が第２蓋パネル６３の内面によって上下方向下方へ折り曲げられるとともに、係止プレート１９の先端５５と固着プレート１８の上端縁５７とが当接し、係止プレート１９の先端５５が固着プレート１８の上端縁５７に係止され、蓋２１で頂部開口２０が閉じられた状態が保持される。
【００７２】
物品収容箱１０Ｂは、蓋２１を開封状態から上下方向下方へ旋回させて蓋２１で頂部開口２０を閉じると、前面パネル１１の上端縁２６の中央に連接された係止プレート１９が蓋２１を形成する蓋パネル５８の第２蓋パネル６３の内面によって上下方向下方へ折り曲げられるとともに、第２蓋パネル６３の内面に残存する固着プレート１８の上端縁５７と係止プレート１９の先端５５とが当接し、固着プレート１８の上端縁５７に係止プレート１９の先端５５が係止されるから、蓋２１を開封した後、蓋２１で頂部開口２０を閉じたときに、係止プレート１９の先端５５が固着プレート１８に係止されることで蓋２１を前面パネル１１に係止することができ、頂部開口２０を閉じた状態から蓋２１が上下方向上方へ不用意に旋回することはなく、蓋２１で頂部開口２０を閉じた状態を保持することができる。
【００７３】
物品収容箱１０Ｂは、折り曲げ線４４を中心にボックス状の蓋２１を上下方向上方へ旋回させて頂部開口２０を開放した第１回目の開封状態において、前面パネル１１の上端縁２６の中央に連接された係止プレート１９が第２切り離し線５３によって固着プレート１８から切り離されて係止プレート１９が前面パネル１１の上端縁２６から上下方向上方へ延出しつつ、固着プレート１８が蓋２１を形成する蓋パネル５８の第２蓋パネル６３の内面に固着された状態で残存するから、未開封の状態から１回目の開封において係止プレート１９および係止プレート１９の先端５５が係止される固着プレート１６を形成することができ、蓋２１で頂部開口２０を繰り返し開閉したとしても、係止プレート１９の先端５５が蓋２１を形成する前面パネル１１の内面に残存する固着プレート１８の上端縁５７に繰り返し係止されることで、蓋２１で頂部開口２０を閉じた状態を再現することができる。
【００７４】
物品収容箱１０Ｂは、蓋２１を開封状態から上下方向下方へ旋回させて蓋２１で頂部開口２０を閉じるときに、固着プレート１８の下端縁５６が係止プレート１９を前面パネル１１の前後方向前方へ旋回させるように案内するから、係止プレート１９の前面パネル１１の前後方向後方への旋回を防ぐことができ、蓋２１で頂部開口２０を繰り返し開閉したとしても、係止プレート１９の先端５５が固着プレート１８の上端縁５７に確実に係止され、蓋２１で頂部開口２０を閉じた状態を切り返し再現することができる。
【符号の説明】
【００７５】
１０Ａ  物品収納箱
１０Ｂ  物品収納箱
１０Ｃ  物品収納箱
１１    前面パネル
１２    後面パネル
１３    第１側面パネル
１４    第２側面パネル
１５    上面パネル
１５ａ  第１上面パネル
１５ｂ  第２上面パネル
１６    下面パネル
１６ａ  第１下面パネル
１６ｂ  第２下面パネル
１７    連接パネル
１８    固着プレート
１９    係止プレート
２０    頂部開口
２１    蓋
２２    物品収容スペース
２３    前面パネルの側縁
２４    前面パネルの側縁
２５    後面パネルの側縁
２６    前面パネルの上端縁
２７    後面パネルの上端縁
２８    前面パネルの下端縁
２９    後面パネルの下端縁
３０    第１側面パネルの上端縁
３１    第１フラップ
３２    第１側面パネルの下端縁
３３    第２フラップ
３４    第２側面パネルの上端縁
３５    第３フラップ
３６    第２側面パネルの下端縁
３７    第４フラップ
３８    第１切り離し線
３９    前面パネルの上部
４０    第１側面パネルの上部
４１    第２側面パネルの上部
４２    指掛け用の開口
４３    後面パネルの上部
４４    折り曲げ線
４５    後面パネルの側縁
４６    第１連結パネル
４７    第１連結パネルの側縁
４８    第２連結パネル
４９    第２連結パネルの側縁
５０    第３連結パネル
５１    第１連結パネルの上部
５２    第２連結パネルの上端縁
５３    第２切り離し線
５４    切り込み
５５    係止プレートの先端
５６    固着プレートの下端縁
５７    固着プレートの上端縁
５８    蓋パネル
５９    第１側面パネルの側縁
６０    固着パネル
６１    第１蓋パネル
６２    第１蓋パネルの側縁
６３    第２蓋パネル
６４    第２蓋パネルの側縁
６５    第３蓋パネル
６６    第２蓋パネルの上端縁
６７    第１蓋パネルの上端縁
６８    第３蓋パネルの上端縁
【図１】
2019006453.tif 000003
【図２】
2019006453.tif 000004
【図３】
2019006453.tif 000005
【図４】
2019006453.tif 000006
【図５】
2019006453.tif 000007
【図６】
2019006453.tif 000008
【図７】
2019006453.tif 000009
【図８】
2019006453.tif 000010
【図９】
2019006453.tif 000011
【図１０】
2019006453.tif 000012
【図１１】
2019006453.tif 000013
【図１２】
2019006453.tif 000014
【図１３】
2019006453.tif 000015
【図１４】
2019006453.tif 000016